(57)【要約】【課題】  屋外に立てた幟旗１が、風にはためいてまくれ上がり立て旗竿２に巻き付いて、広告宣伝の役をなさず、不格好になるのを防止する。【解決手段】  幟旗１の最下部の旗乳４４に重りを取り付けて旗のまくれ上がりを防止する手段において、重り５は鉛の薄板とし、この鉛の薄板である重り５を最下部の旗乳４４にホチキスでホチキス針６を打ち込んで綴り付けた。また、重り５は二つ折りの鉛の薄板とし、この二つ折りの鉛の薄板である重り５を旗乳４４に挟みつけ、ホチキスで綴り付けた。他の手段として、この二つ折りの鉛の薄板である重り５の内側両面に両面粘着テープ７を接着させておき、この二つ折りの鉛の薄板である重り５で旗乳４４を挟みつけ、両面粘着テープ７で旗乳４４に接着させた。また、鉛の薄板である重り５の下部に膨大部５ｂを形成して重さを増し、この重り５を上記のような手段によって旗乳４４に取り付けた。【選択図】図１
2005284200.tif 000002
【特許請求の範囲】
【請求項１】
立て旗竿とその上端部に水平回動自由に取り付けられた上横棒とに、幟旗の旗縦縁と旗上縁とに取り付けられた複数個の旗乳をそれぞれ通して取り付けて、屋外に設置された幟旗が、風によってまくれ上がるのを防止する手段であって、旗縦縁の最下部の旗乳に重りを取り付けて旗のまくれ上がりを防止するようにした幟旗のまくれ上がり防止具において、前記重りは鉛の薄板とし、この鉛の薄板である重りを前記最下部の旗乳にホチキスで綴り針を打ち込んで綴り付けたことを特徴とする幟旗のまくれ上がり防止具。
【請求項２】
立て旗竿とその上端部に水平回動自由に取り付けられた上横棒とに、幟旗の旗縦縁と旗上縁とに取り付けられた複数個の旗乳をそれぞれ通して取り付けて、屋外に設置された幟旗が、風によってまくれ上がるのを防止する手段であって、旗縦縁の最下部の旗乳に重りを取り付けて旗のまくれ上がりを防止するようにした幟旗のまくれ上がり防止具において、前記重りは二つ折りの鉛の薄板とし、この二つ折りの鉛の薄板である重りを前記最下部の旗乳に挟みつけ、ホチキスで綴り針を打ち込んで前記最下部の旗乳に綴り付けたことを特徴とする幟旗のまくれ上がり防止具。
【請求項３】
立て旗竿とその上端部に水平回動自由に取り付けられた上横棒とに、幟旗の旗縦縁と旗上縁とに取り付けられた複数個の旗乳をそれぞれ通して取り付けて、屋外に設置された幟旗が、風によってまくれ上がるのを防止する手段であって、旗縦縁の最下部の旗乳に重りを取り付けて旗のまくれ上がりを防止するようにした幟旗のまくれ上がり防止具において、前記重りは二つ折りの鉛の薄板とし、この二つ折りの鉛の薄板の内側両面に両面粘着テープを接着させておき、この二つ折りの鉛の薄板である重りを前記最下部の旗乳に挟んで押しつけ、前記両面粘着テープで前記最下部の旗乳に接着させたことを特徴とする幟旗のまくれ上がり防止具。
【請求項４】
前記鉛の薄板である重りの下部に膨大部を形成して重さを増加させたことを特徴とする請求項１又は請求項２又は請求項３に記載の幟旗のまくれ上がり防止具。
【発明の詳細な説明】
【技術分野】
【０００１】
この発明は、広告宣伝などのため屋外に立てて設置された幟旗が風によってまくれ上がるのを防止する手段に関するものである。
【背景技術】
【０００２】
近時、商店，車販売店，不動産屋などで、広告宣伝などのため、通行人などに見やすいように屋外に立てられた縦長の幟旗が街中や郊外で多数見られる。しかし、少し風が吹いただけで、この幟旗がはためいてまくれ上がって、旗面に書いてある広告文句を見ることができず、幟旗自体が不格好な状態になっているものが多い。
【０００３】
現状は、幟旗が風ではためきまくれ上がって、旗に書いてある広告文をお客さんが見ることができず不格好な状態になっていても、広告宣伝をしているということを示せばよいとしてか、無頓着なものが多い。しかし、この不格好を気にする者は、旗の下端の乳を粘着テープで旗竿に止めて、まくれ上がりを防止しているものがある。しかし、この幟旗は、風向にしたがって自由に回動することができるようになっており、粘着テープで旗の下端を止めてしまっては、変動する風向により、旗が旗竿に巻き付いてしまって不具合な状態となっているのが見られる。
【０００４】
このような不具合が生じないように、変動する風向に応じて旗が自由に回転することができて、旗のまくれ上がりを防止することができるようにする手段として、最下部の旗乳に重りを取り付けることによってこの目的を達成することが考えられる。この重りを最下部の旗乳に取り付ける手段として、下記文献には次のような手段が提案されている。すなわち、最下部の旗乳に重りを鋲により取り付ける手段。重りを旗乳に圧着して取り付ける手段。重り（砂袋）をカーテン用クリップで取り付ける手段。弾性を有する重りを用いて旗乳に挟み付ける手段。重りを旗乳に縫いつける手段。というようなものである。
【特許文献１】特許第２８５５３１７号公報
【特許文献２】実用新案登録第３０３０８１０号公報
【特許文献３】特開平９−３０５１３１号公報
【発明の開示】
【発明が解決しようとする課題】
【０００５】
この発明が解決しようとする問題点は、上記文献に示された、最下部の旗乳に重りを鋲により取り付ける手段では、鋲などの構造が簡単でなく高価になる。重りを圧着して取り付ける手段では、止着力が不確実であり旗が風ではためいたとき重りが脱落するおそれがある。重り（砂袋）をカーテン用クリップで取り付ける手段では、重りを作ることと取り付けることに手間がかかる。弾性を有する重りを用いて挟み付ける手段では、重りが高価になり、また付着力に不安がある。重りを旗乳に縫いつける手段では、縫いつけるのに手間がかかる。というような問題がある。
【０００６】
この発明は、変動する風向に応じて旗が自由に回動することができ、かつ、旗のまくれ上がりを防止するため、最下部の旗乳に重りを取り付けるのであるが、その取付け手段として、上記先行技術に存在するような欠点がなく、重りは簡単で安価であり、旗乳に簡単容易に確実に取り付けることができできるようにした、幟旗のまくれ上がり防止具を提供することを目的とする。
【課題を解決するための手段】
【０００７】
この発明は、旗縦縁の最下部の旗乳に重りを取り付けて旗のまくれ上がりを防止するようにした幟旗のまくれ上がり防止具において、前記重りは鉛の薄板とし、この鉛の薄板を最下部の旗乳にホチキス（紙綴り器，スティプラー）で綴り針（スティプル）を打ち込んで綴り付けたものである。また、前記重りは二つ折りの鉛の薄板とし、この二つ折りの鉛の薄板を最下部の旗乳に挟みつけ、ホチキスで綴り針を打ち込んで綴り付けたものである。また、他の手段として、この二つ折りの鉛の薄板の内側両面に両面粘着テープを接着させておき、この二つ折りの鉛の薄板で最下部の旗乳を挟みつけ、前記両面粘着テープで前記旗乳に接着させて止着するようにしたものである。また、鉛の薄板の下部に膨大部を形成して比較的重い重りとし、この鉛の重りを上記のような手段によって最下部の旗乳に取り付けたものである。
【発明の効果】
【０００８】
この発明による幟旗のまくれ上がり防止具においては、重りの材料として、比重が重く安価である鉛を用い、鉛の薄板としたので加工が容易であり、安価で製作がきわめて容易な重りが実現できる。この鉛の薄板の重りを旗乳に取り付けるには、ホチキスで綴り針を打ち込んで止着するだけで済むので、きわめて簡単容易に確実に取り付けることができる。また、この鉛の薄板を二つ折りとして、旗乳に挟み付けてホチキスで止めれば、さらに確実に止めることができる。また、この二つ折りの鉛の薄板の内側両面に両面粘着テープを接着させておき、この二つ折りの鉛の薄板で旗乳を挟みつけ、上記両面粘着テープで旗乳に接着させるようにしても、安価で簡単容易に確実に取り付けることができる。また、鉛の薄板の下部に膨大部を形成して比較的重い重りとして、前記のような手段によって旗乳に取り付ければ、強風に対しても幟旗のまくれ上がりを防止することができる。
【発明を実施するための最良の形態】
【０００９】
幟旗の最下部の旗乳に重りを取り付けて旗のまくれ上がりを防止する手段において、この重りとして鉛の薄板を用いることによって、重くて効果的で、製作はきわめて容易で、安価な重りが実現できる。また、これをホチキスで止め付けることによって、簡単かつ容易に旗乳に取り付ける手段を実現した。
【実施例１】
【００１０】
図１及び図２は、この発明による幟旗のまくれ上がり防止具の最良の形態である実施例を示すものである。図１はこの発明による幟旗のまくれ上がり防止具を示す図であり、図１（Ａ）は幟旗の全体を示す図、図１（Ｂ）は要部の拡大水平断面図、図１（Ｃ）はその立面図である。図２はこの発明による重りの各種の実施例形状とその取り付け手段を示す図である。図において、１は幟旗、２は立て旗竿、３は上横棒、４は旗乳、４４は最下部の旗乳、５はこの発明による鉛の薄板からなる重り、５ｂは膨大部、６はホチキス綴り針、７は両面粘着テープ、９は幟旗１を立てる台である。
【００１１】
図１に示すように、宣伝広告などの文言などが書かれている縦長の幟旗１には、その一方の縦縁にほぼ等間隔に複数個（図では５個）の旗乳４が取り付けられており、上縁にも複数個（図では３個）の旗乳４が取り付けられている。立て旗竿２の上端には可動横棒着冠３２により水平回転自由に上横棒３が取り付けられている。幟旗１の縦縁の各旗乳４を立て旗竿２に通し、上縁の各旗乳４を上横棒３に通して、幟旗１を立て旗竿２及び上横棒３に取り付け、屋外に置いた台９の中心の穴に立て旗竿２を差し込んで立てる。
【００１２】
図１に示すように、最下部の旗乳４４にこの発明による重り５が取り付けられている。重り５は鉛の薄板であり、図１に示すものでは二つ折りになっており、ホチキス針６で取り付けられている。鉛の薄板である重り５の板厚は、使用するホチキスの強さとホチキス針６の貫通力によって決めればよく、０．５ｍｍ乃至１ｍｍ程度が適当である。なお、ボード用などの強力なホチキスを使えばもっと厚い鉛板でも取り付けることができる。鉛の薄板であるこの重り５は、例えば、幅３ｃｍ長さ８ｃｍ厚さ０．７ｍｍとすれば、重さ約２０グラムとなり、幅３ｃｍ長さ９ｃｍ厚さ１ｍｍとすれば、重さ約３０グラムとなる。上記２０グラムの鉛板を二つ折りにして幟旗１の最下部の旗乳４４にホチキスで取り付けて実験したところ、幟旗のまくれ上がりが全くなくなり、あたかもトタン板で作った幟旗であるかのようにピシャとした状態になり、予想をはるかに越えた驚くべき効果が認められた。なお、大きな幟旗とか強風に対しては、重りの寸法を増すとか、重りの下部に膨大部５ｂを形成するとかして重量を増せばよい。
【００１３】
この発明による重り５として、鉛の薄板を用いるが、鉛は安価であり、比重約１１．３６という重い金属であり、重りとして最適である。また、比較的軟らかく、形状の加工が容易で、ホチキス針６が通りやすいというような利点がある。また、弾性が小さく塑性的であるので、二つ折りにしたとき、スプリングバックが小さいので、二つ折りにして両面粘着テープ７やマジックテープ（商標）で接着するのにも適している。
【００１４】
重り５の取付箇所として、図１では、最下部の旗乳４４の幟旗１に縫いつけた部分に取り付けたものを示したが、ホチキス針６が通り難いとか、図２（Ｈ）（Ｉ）（Ｋ）に示す形状のものでは、図１の最下部の旗乳４４の図のより左方の旗乳４４が分かれている部分に取り付けるようにすることができる。その場合、分かれた両方の最下部の旗乳４４を併せて取り付けるか、片方づつ別々に２個の重り５を取り付けるか、重り５を図２（Ｋ）に示すように、鉛の薄板を四つ折り形状にして取り付けることもできる。
【００１５】
図２はこの発明による重り５の各種実施形状を示す。（Ａ）は重り５を単なる薄平板状としてホチキス針６で最下部の旗乳４４に取り付けたもの、（Ｂ）はその重り５の下端部に膨大部５ｂを形成したもの、（Ｃ）は鉛の薄板を二つ折りとしてホチキス針６で最下部の旗乳４４に取り付けたもの、（Ｄ）はその重り５の下端部に膨大部５ｂを形成したもの、（Ｅ）は重り５の上部を曲線形状としたもの、（Ｆ）はその重り５の下端部に膨大部５ｂを形成したもの、（Ｇ）は鉛の薄平板の形状を、だるま状としたもの、（Ｈ）は最下部の旗乳４４に上からかけて取り付けられるように、鉛の薄板を二つ折りにしてホチキス針６で取り付けたもの、（Ｉ）は最下部の旗乳４４に上からかけて取り付けられるように二つ折りにした重り５の内面に接着した両面粘着テープ７で最下部の旗乳４４に挟み接着するもの、（Ｊ）は鉛の薄板を二つ折りとした重り５の両方の内面に接着した両面粘着テープ７で最下部の旗乳４４に挟み押しつけて接着するもの、（Ｋ）は両方の最下部の旗乳４４に上からかけて取り付けられるように鉛の薄板を四つ折りにした重り５を示す。
【００１６】
なお、図２に示した実施形状は一例であり、この発明による重りは鉛の薄板であるので、加工形成が容易であり、例えば、不動産屋であれば家の形、車販売店であれば自動車の形、商店であれば商品の形、などとすれば一寸したアクセサリーとなり、お客さんの目に止まれば広告宣伝効果も向上させることができる。
【００１７】
次に、この発明による幟旗のまくれ上がり防止具の作用効果について説明する。屋外に立てた前記のような形状構造の幟旗は、風が吹けば幟旗１の下部が簡単にまくれ上がり、幟旗１が立て旗竿２に巻き付いて格好が悪く広告宣伝の文言も読めなくなっている状況が街路や郊外で見られる。その防止対策として、前記特許文献に最下部の旗乳４４に重りを取り付けることが提案されているが、前記のような不具合がある。そこで、この発明による幟旗のまくれ上がり防止具は、最下部の旗乳４４に取り付ける重りとして鉛の薄板を用い、ホチキスで取り付けるようにしたものである。鉛は安価であり、比重約１１．３６という重い金属であり、重りとして最適である。また、比較的軟らかく、任意の形状に加工をすることが容易であり、ホチキス針６が通りやすいというような利点がある。また、弾性が小さく塑性的であるので、二つ折りにしたとき、スプリングバックが小さいので、二つ折りにして両面粘着テープ７で接着するのにも適している。このように鉛という安価で最適な重りを簡単容易に取り付けることによって、幟旗１のまくれ上がりを防止することができる。
【００１８】
図２に示す実施例について説明する。（Ａ）に示すものは、重り５が単なる鉛の薄板であるのできわめて簡単である。（Ｂ）に示すものは、膨大部５ｂで重り５の重さを増加させることが容易にできる。（Ｃ）に示すものは、鉛の薄板を折り曲げただけでありきわめて簡単である。（Ｄ）に示すものは、膨大部５ｂで重り５の重さを増加させることができる。（Ｅ）に示すものは、見栄えがよい。（Ｆ）に示すものは、膨大部５ｂで重さを増加させることができる。（Ｇ）に示すだるま状のものは、重り５が飾り兼用となり、この幟旗を見た人の感性にうったえて広告宣伝の効果を向上させることができる。この発明による重り５は鉛の薄板であるので、どんな形状にも容易に加工することができ、他の面白い形状に加工して人の目を引くようにすることができる。（Ｈ）に示すものは、鉛の薄板を折り曲げただけで簡単であり、旗乳に上からかけるので外れにくい。（Ｉ）に示すものも簡単で容易に取り付けられる。（Ｊ）に示すものは、折り曲げるだけで両面粘着テープ７により簡単に接着することができる。（Ｋ）に示すものは、旗乳４４の分かれている両方の部分に上からかけて簡単に取り付けることができる。
【産業上の利用可能性】
【００１９】
この発明による鉛の薄板を用いた重り５を最下部の旗乳にホチキスなどで取り付けることによって、屋外に立てられた幟旗が風ではためいてまくれ上がって、旗に書いてある広告などを見ることができないなど、格好の悪い状態になることを、きわめて効果的に防止することができる。
【図面の簡単な説明】
【００２０】
【図１】この発明による幟旗のまくれ上がり防止具の実施例を示す図であり、（Ａ）は幟旗の全体を示す図、（Ｂ）は要部の拡大水平断面図、（Ｃ）はその立面図である。
【図２】この発明による重りの各種の実施例の形状とその取り付け手段を示す図である。
【符号の説明】
【００２１】
１：幟旗
２：立て旗竿
３：上横棒
４：旗乳
４４：最下部の旗乳
５：重り
５ｂ：膨大部
６：ホチキス針
７：両面粘着テープ
【図１】
2005284200.tif 000003
【図２】
2005284200.tif 000004